(57)【特許請求の範囲】
【請求項１】
固体支持体の表面Ｓ上に、Ｓ／溶液／空気の三重界面により形成されるメニスカスの移動により、巨大分子を平行に整列させる装置であって、
整列させるべき巨大分子を含有する溶液（２）を受けるための容器（１）と、
前記巨大分子を付加するようにされた表面Ｓを伴う固体支持体と、
前記固体支持体（４）を前記溶液（２）中に浸漬させる手段と、および
表面Ｓおよび前記溶液の表面を相対的に直線移動させる手段とを備えてなる、装置。
【請求項２】
前記固体支持体を浸漬するための前記手段およびメニスカスおよび表面Ｓを相対的に移動させる前記手段が、前記表面Ｓを前記溶液の表面に対して直角に垂直移動（３〜６）させるための同一手段からなる、請求項１に記載の装置。
【請求項３】
表面Ｓを垂直移動させるための前記手段が、
固体支持体を掴むための手段（６）と、および
前記容器に対して直角に配置された垂直軸（３）に沿って前記掴み手段を移動させるための案内およびモーター手段（５）とを備えてなる、請求項１または２に記載の装置。
【請求項４】
表面Ｓを垂直移動させるための前記手段が、
前記容器に対して直角に配置された垂直ロッド（３）および固体支持体をはさむための支持手段（６）からなる固体支持体を掴むための手段と、および
低い浸漬位置と高い後退位置の間でロッドの垂直移動をコントロールするための案内およびモーター手段とを備えてなる、請求項３に記載の装置。
【請求項５】
固体支持体、特にスライドを、前記容器に浸漬する前に、保管するための第一分室と、および
その上に、前記容器から引き上げた後、巨大分子が整列している固体支持体、特にスライドを保管するための第二分室とを備えてなる、請求項１〜４のいずれか１項に記載の装置。
【請求項６】
装置が、前記固体支持体を前記容器の前記第一分室に、および前記第二分室に対して直角に次々に与える手段をさらに備えてなる、請求項４または５に記載の装置。
【請求項７】
前記分室および前記容器が整列している場合、装置がロッドが引き上げられた位置にある時、前記固体支持体が前記分室に対して、および前記容器に対して直角に与えられる様に、ロッドを水平移動させるための案内およびモーター手段をさらに備えてなる、請求項４または６に記載の装置。
【請求項８】
前記容器に含まれる溶液中のpHをコントロールするための装置を含んでなる、請求項１〜７のいずれか１項に記載の装置。
【請求項９】
メニスカスを移動させるための前記手段により、メニスカスが１０〜１００μm／秒の速度で移動し得る、請求項１〜８のいずれか１項に記載の装置。
【請求項１０】
前記容器の容積が１〜１０mlである、請求項１〜９のいずれか１項に記載の装置。
【請求項１１】
支持体の表面Ｓ上に巨大分子を整列させる方法における、請求項１〜１０のいずれか１項に記載の装置の使用であって、
溶剤Ａおよび表面Ｓおよび媒体Ｂ間の接触から形成される三重線Ｓ／Ａ／Ｂ（メニスカス）が前記表面Ｓの上を移動し、前記巨大分子の一部、特に末端が表面Ｓ上に固定され、他の部分、特に他の末端が溶剤Ａ中の溶液の中にあるようにされてなる、使用。
【請求項１２】
試料中の巨大分子を検出、分離および／または検定するための方法における、請求項１〜８のいずれか１項に記載の装置の使用であって、
請求項１１に記載の使用を用いて、前記試料の巨大分子を認知することができる生物学的活性を有する分子を表面Ｓに付加し、
前記検出、前記分離または前記検定が、付加した分子または前記巨大分子の存在を検出する蛍光性または他の試薬を用いて行なわれる、使用。
【請求項１３】
試料中のＤＮＡ配列またはタンパク質からなる巨大分子を検出するための、請求項１２に記載の使用であって、
請求項１０に記載の装置を用いて、前記巨大分子が溶液中にある溶剤Ａに対応する試料を、ＤＮＡ／ＤＮＡ、ＤＮＡ／ＲＮＡハイブリッドを形成するための、またはタンパク質／タンパク質反応生成物を形成するための条件下で、固体支持体の表面と接触させ、
ハイブリッドまたは反応生成物に標識を付け、一部で固定し、残りの部分が溶液中に存在し、これを、溶剤と表面の接触により形成されるメニスカスの移動により引き伸ばし、巨大分子を配向させ、こうして配向させた巨大分子の測定または観察が行なわれる、使用。
【請求項１４】
ゲノム性ＤＮＡ上の遺伝子を物理的にマッピングするための方法における、請求項１〜１０のいずれか１項に記載の装置の使用であって、
前記ＤＮＡが請求項１１〜１３のいずれか１項に記載の使用により整列および／または検出される、使用。
【請求項１５】
ある病状に特異的な特定のＤＮＡ配列の存在または欠如に結び付いた病状を診断する方法を実行するための、請求項１３に記載の使用。
【請求項１６】
遺伝子を製造するための方法を実行するための、請求項１１〜１３のいずれか１項に記載の使用であって、
整列したゲノム性ＤＮＡ上の前記遺伝子の位置を、前記遺伝子に特異的なプローブにより識別し、
前記遺伝子の配列をその場でＰＣＲにより増幅することを行う、使用。
【発明の詳細な説明】
本発明は、メニスカスを移行させることにより、固体支持体上に巨大分子を平行に整列させる装置に関するものである。
「分子コウミング（molecular Combing）」とも呼ばれる、巨大分子を整列させる方法は、仏国特許出願第９４０７４４４号明細書に記載されている。
巨大分子の形態（コンフォーメーション）をコントロールすることは、例えばセンサーの製造または分子をコントロールした組立における、あるいは検出および分析の問題における、工業的に重要な目標である。細長い分子形態を有するのが有用である場合がある。例えば、重合体を基材上にグラフト化させる場合、電界、流れの作用または光学的ピンセットにより分子を引き伸ばすことが提案されている。特に、生物学では、電気泳動（ZimmermannおよびCox, Nucl. Acid Res.22, p 492, 1994年）、自由流動（ParraおよびWindle, Nature Genetics, 5,p 17, 1993年およびＷＯ９３／２２４６３号明細書）による、またはゲル（Schwartz等、Science 262, p 110, 1993年およびＵＳＰ３３５３１号明細書）における、または光学的ピンセット（Perkins等、Science 264 p 819, 1994年およびＵＳＰ５０７９１６９号明細書）による、ＤＮＡの整列が、マッピング、または病原体の検出に多くの可能性を開いている。
これらの方法は、一般的に不完全な整列、あるいは一時的な整列（すなわち一度、応力が失われると、分子の弛緩が起こる）しか達成できない。光学的ピンセットの場合、この方法は経費がかかり、一度に、一分子のみという制限があり、および不適格な作業員により行なうことは困難である。
細胞溶解後に流れによりＤＮＡを整列させ、続いて乾燥させる特殊な技術が提案されている（I. Parra およびB. Windle、ＷＯ９３／２２４６３号明細書）。得られる整列は非常に不完全で、不均質であり、多くの整列していない集合体が観察される。
仏国特許出願９４  ０７４４４号明細書には、支持体の表面Ｓ上に巨大分子を整列させるための方法であって、溶剤Ａおよび表面Ｓおよび媒体Ｂの間の接触により形成される三重線Ｓ／Ａ／Ｂ（メニスカス）を該表面Ｓ上で移動させ、該巨大分子の一部分、特に一方の末端、が表面Ｓ上に固定され、他の部分、特に他方の末端、が溶剤Ａの溶液中にあること、を特徴とする新規で簡単な方法が開示されている。
メニスカスを分子の上に通すだけで、分子の一部が基材上に固定され、分子の残りの部分が溶液の中に遊離して存在することにより、分子を一様に、移動するメニスカスに対して直角に整列させることができ、メニスカスの後の表面上に分子が吸着して残ることが観察されている。ここでは、この現象を「分子コウミング」と呼ぶ。
より詳しくは、分子の遊離部分の引き伸ばしは、表面Ｓ、溶剤Ａ、および気体（一般的に空気）または他の溶剤であるような媒体Ｂの間のメニスカスを構成する三重線Ｓ／Ａ／Ｂの移行により達成される。
特別な実施態様では、メニスカスは水／空気メニスカスである、すなわち溶剤Ａは水溶液であり、媒体Ｂは空気である。
メニスカスの移動は、特に、溶剤Ａを徐々に蒸発させるか、または表面Ｓの平行移動による機械的経路により達成することができる。
これを行なうために、仏国特許出願９４  ０７４４４号明細書では、整列させるべき分子を含む溶剤の一滴を、少なくとも一方が表面Ｓの該支持体に対応する２個の支持体の間に置き、メニスカスを、例えば蒸発により、あるいは２個の支持体を互いに対して移動させることにより、配列させることが記載されている。
「支持体」とは、その凝集が、メニスカスの移行に十分に耐えられるすべての基材を意味するものである。
支持体は、少なくともその表面において、有機または無機重合体、金属、特に金、金属の酸化物または硫化物、半導体元素または半導体元素の酸化物、例えば酸化ケイ素、またはそれらの組合せ、例えばガラスまたはセラミック、からなることができる。
より具体的には、ガラス、表面酸化したケイ素、グラファイト、マイカおよび硫化モリブデン、を挙げることができる。
「支持体」としては、単一の支持体、例えばスライド、ビーズ、特に重合体ビーズ、を使用できるが、どの様な形態でも、例えばバー、繊維または構造化された支持体、および粒子、粉末、特にシリカ粉末、でもよく、それらはさらに様々な検定技術で公知の様に磁性、蛍光性に、または着色、することもできる。
支持体は、カバースリップの形態が有利である。
巨大分子、例えば通常の重合体、またはＤＮＡ、ＲＮＡまたはタンパク質の様な生物学的な重合体、は通常の方法により支持体上に固定することができる。
整列させるべき巨大分子は、生物学的な巨大分子、例えばタンパク質、特に抗体、抗原、リガンドまたはそれらのレセプター、核酸、ＤＮＡ、ＲＮＡまたはＰＮＡ、脂質、多糖、およびそれらの誘導体、から選択することができる。
メニスカスのすぐ近くで局所的に引張り力が作用することが観察されている。これは、分子の長さ、固定される分子の数、および広い範囲内で、メニスカスの速度には無関係である。これらの特性は、分子を均質に、再現性良く整列させるのに特に重要である。
界面の特性を変化させる界面活性元素を溶剤Ａ、特に水、および／または媒体Ｂ、特に空気の中に加えることができる。実際、界面活性剤を加えることにより、または適した表面処理により、この引張りをコントロールすることができる。
表面−巨大分子の引力が大き過ぎる（例えば吸着水準が極度に高い）と、メニスカスによる分子の整列が妨害され、これらの分子は不必要に引張られた状態で表面に吸着されたままになることがある。固定された分子だけが整列し、他はメニスカスにより運ばれる様に、表面は、該巨大分子の吸着率が低いことが好ましい。
しかし、巨大分子の一部分、特にその末端、および他の部分（特にＤＮＡまたはコラーゲンの様な長い分子に関して）の間の吸着の差を変化させて、上記の様に、吸着により、該分子を一部分、特にそれらの末端だけにより、非常に様々な表面上に固定し、分子の残りの部分は溶液中に遊離して存在する様にし、メニスカスの移行によりそれらの分子を整列させることができる。
ある表面上への巨大分子の吸着は、pHにより、または媒体のイオン性媒体含有量により、あるいは表面に印加する電圧により、容易にコントロールすることができる。こうして、表面電荷および表面と分子の間の静電気的（反発的または吸引的）相互作用が変化し、それによって分子が表面上に完全に吸着した状態から吸着がまったく無い状態に移行させることができる。これらの２つの極端な場合の間で、ある範囲のコントロールパラメータがあり、そこでは吸着が好ましくは分子の末端を通して起こり、したがってそれは表面上に分子を固定し、次いでメニスカスの移行により分子を整列させるのに有利に使用される。
一度整列すると、分子は表面に強く密着する。ＤＮＡの場合、それらの整列の数カ月後に蛍光によりそれを観察することができる。
したがって、この技術は、第一工程で、溶液中で固体支持体の前処理した表面上に、巨大分子、特にＤＮＡ、をそれらの末端により固定させる。この特殊な固定（分子の末端だけが支持体表面に密着する）には、溶液の特定の物理化学的パラメータ、pH、温度、を正確にコントロールすることが必要である。この工程は、最近では「培養工程」の名称で呼ばれている。培養の期間は、単位表面あたりの固定率に影響する。
第二工程では、系はこの形状（コンフィギュレーション）、すなわち溶液内の表面、から別の形状、すなわち溶液外の表面、に移行する。この移行は、前処理した表面上に堆積した溶液の滴の自然蒸発により達成される。蒸発の際、メニスカス、すなわち三重界面、つまり表面−溶液−空気、を構成する滴の縁部が、滴の体積減少のために移動する。表面上をメニスカスが移行する影響は、表面に固定されたＤＮＡ分子に対する引張り力であり、その結果、分子がメニスカスの後退する方向、すなわちメニスカスの軸に対して直角、に引き伸ばされる。引き伸ばされた分子は耐久性のある様式で表面に密着する。この工程が実際の分子コウミングを構成する。
本発明の装置により、この工程を異なった様式で行なうことができる。概して、水滴の中心方向に求心力があり、局所的にしか分子を平行に整列させない水滴のメニスカス後退を使用する代わりに、後退により全長にわたって巨大分子を平行に整列させるメニスカスを使用する。
より正確には、本発明の主題は、固体支持体の表面Ｓ上に、Ｓ／溶液／空気の三重界面により形成されるメニスカスの移動により、巨大分子を平行に整列させる装置であって、下記（１）、（２）および（３）を含んでなることを特徴とする装置である。
（１）整列させるべき巨大分子を含んでなる溶液を受けるための容器、
（２）該固体支持体を該溶液中に浸漬させる手段、
（３）表面Ｓおよび該溶液の表面を相対的に直線移動させる手段。
一実施態様では、表面Ｓは溶液から後退させるか、または反対に、溶液を表面Ｓから後退させることができて、メニスカスが相対的に移動する。
固体支持体を浸漬させる該手段およびメニスカスおよび表面Ｓを相対的に直線移動させる手段が、該表面Ｓを該溶液の表面に対して直角に、垂直移動させる手段からなる、のが有利である。
一実施態様では、該表面Ｓを垂直移動させる手段が、下記（１）および（２）を含んでなるものである。
（１）固体支持体を掴むための手段、および
（２）該容器に対して直角に配置された垂直軸に沿って該掴み手段を移動させるための案内およびモーター手段。
特に、表面Ｓの垂直移動させる手段は、下記（１）および（２）を含んでなるものである。
（１）該容器に対して直角に配置された垂直ロッド、および固体支持体をはさむための支持手段からなる、固体支持体を掴むための手段、および
（２）低い浸漬位置と高い後退位置の間でロッドの垂直移動をコントロールするための案内およびモーター手段。
したがって、本発明の装置は、特に固体支持体がスライドからなる場合、下記（１）および（２）をさらに含んでなるものである。
（１）固体支持体、特にスライド、を、該容器に浸漬する前に、保管するための第一分室、および
（２）固体支持体、特にスライド（その上に、該容器から引き上げた後、巨大分子が整列している）を保管するための第二分室
この場合、装置は、該スライドを該容器の該第一分室に、および該第二分室に対して直角に次々に与える手段をさらに含んでなることができる。
特に、該分室および該容器が整列している場合、装置は、ロッドが引き上げられた位置にある時、該スライドが該分室に対して、および該容器に対して直角に与えられる様に、ロッドを水平移動させるための案内手段およびモーター手段をさらに含んでなる。
本発明の装置には、次の様な多くの利点がある。
（１）その全長にわたってコウミングされた分子の完璧な平行性。
（２）１２００キロベースまでの大きさの巨大分子を整列させることができるのに対し、滴蒸発方法では、５００キロベースを超える大きさの分子を整列させることはできない。
（３）貯蔵部の容量に対応する体積の溶液を使用することにより（溶液中の分子の化学的安定性の限界内で）、実質的に無制限の数のスライドを培養することができる。事実、溶液の滴の蒸発による方法における場合の様に、溶液から引き上げるのがスライドである場合、どの様な数のスライドでも連続的に培養することができる。
（４）どの様な大きさのスライドでも、およびより一般的には、分子を固定させるための前処理したどの様な支持体でも使用することができる。実際、培養すべき支持体に貯蔵部の容積を適合させれば十分である。
（５）培養および引き伸ばしの工程が分離されているので、培養時間および引き伸ばし速度を独立して変えることができるが、これらは、滴の蒸発方法ではコントロールするのがより困難である。
（６）スライドを固定したままで、溶液を貯蔵部から後退させる方法を使用する場合、同じ貯蔵部の中で、ただし異なった媒体中で、スライドを順次培養することができる。
この様に、本発明の分子コウミング装置により、分子コウミングの可能なすべての用途（マッピング、診断、およびその他のもの）に関して、基本的な研究段階から応用研究の段階に、あるいは標準的な実験室機器の段階に、まで進むことができる。
有利なことに、メニスカスを移動させる該手段により、メニスカスを１０〜１００μm／秒の速度で移動させることができる。
溶液からスライドを取り出す速度は、この速度範囲で、コウミングした分子の引伸ばし水準に影響しない。コウミングの品質に影響を与えず、確実に超えることができる、この速度により、２２ｘ２２mm2の前処理したガラスカバースリップを５分間未満でコウミングすることができる。
該容器の容積は１〜１０mlが適当である。
貯蔵部中の溶液の体積は、滴の体積よりもはるかに大きい（数１０μｌに対して数ml）ので、蒸発程度を過度に増加することなく、溶液の温度を変えることができる。我々は、分子の固定水準に対するこのパラメータの影響を研究する計画である。
溶液のpHは、予備研究が示している様に、固定の特異性に対して極めて重大である。本発明の装置は、有利なことに、このパラメータをコントロールするための機構を含んでなるものである。
数mlの貯蔵部中に含まれるＤＮＡ溶液により、実質的に無限の数のスライドを調製できるので、本装置により、多数の前処理したスライドを連続的にコウミングすることができる。
巨大分子を表面上に「固定すること」とは、共有結合および非共有結合（例えば上記したように、吸着の様な物理化学的相互作用により起こる結合）の両方による、化学反応性により生じる付加を意味すべきものである。
巨大分子のこの固定は、表面上で（または表面により）直接、または間接的に、すなわち別の分子、特に生物学的活性を有する別の分子の結合、を経由して達成することができる。固定が間接的に達成される場合、巨大分子は該結合上に化学的にグラフト化し得る、または特に該中間結合が、該巨大分子を認知し、それと相互作用する生物学的活性を有する分子である場合、該結合と物理化学的に相互作用することができる。
一実施態様では、巨大分子および該結合が両方とも、それぞれ抗原および抗体、相補的な核酸または脂質の様な、相互作用する生物学的活性を備えた分子である。これらの場合、巨大分子の非共有付加は、抗原−抗体、リガンド−レセプタ、相補的な核酸断片間のハイブリダイゼーション、または脂質間の疎水性または親水性相互作用、のタイプの結合からなる。
そのため、特定の生物学的反応、特に抗原−抗体反応、ＤＮＡまたはＲＮＡハイブリダイゼーション反応、タンパク質間反応またはアビジン／ストレプトアビジン／ビオチン型反応、ならびにリガンドおよびそれらのレセプタの反応、の非常に高い特異性および非常に高い選択性の優位性が得られる。
したがって、表面Ｓ上に巨大分子を直接的または間接的に固定するために、特定の特異性を有する固体表面を使用することができる。特に、変性した、またはしていない、特定のタンパク質またはＤＮＡを付加できるある種の前処理した表面を使用することができる。
その様な表面は、それらの表面に例えばＣＯＯＨ、ＮＨ2またはＯＨ基を有する様々な形態で市販されている（例えばCovalink、Coster、Estapor、Bangs、Dynal）。
この場合、反応性基、例えばアミン、でＤＮＡを官能化して、これらの表面との反応を行なうことができる。しかし、これらの方法には、付加させるべきＤＮＡの特殊な官能化が必要である。
ＤＮＡを予め処理せずに固定できる技術も開示されている。この方法は、ＤＮＡ分子の５’末端で遊離のリン酸塩を表面の第２級アミン（ＮＨ Covalink表面）と反応させるものである。
吸着による固定は、pH、媒体のイオン含有量で、または分子の末端と中間部分の間に吸着の差を有する表面全体に電圧を印加する用途によって、表面電荷をコントロールすることにより分子の末端の吸着により達成できる。この様にして、例えば、ポリリシン分子の様なビニルまたはアミン基の末端を有する分子で被覆した表面、またはビニルまたはアミン基の末端を有するシラン型分子で被覆したガラス、あるいは酸浴中で予め洗浄したガラスカバースリップ、の様な様々な表面、の上に非官能化ＤＮＡが固定されている。酸浴洗浄の場合、ガラスの表面は実際にＳｉＯＨ基を有する。
ＤＮＡを第一反応性基またはタンパク質Ｐ0で官能化して、このＤＮＡを、第二の反応性基またはタンパク質Ｐ1（それぞれ互いに特異的に反応し得るもの、すなわち例えばＰ1とＰ0である）で被覆した表面と反応させることもできる。Ｐ0／Ｐ1の対は、例えばビオチン／ストレプトアビジン(ZimmermannおよびCox)またはジゴキシゲニン／ジゴキシゲニンに対する抗体(anti-DIG)、例えば（Smith et al., Science 258, 1122(1992)）、のタイプの対でよい。
固定表面は、特に分子の検出を蛍光により行なう場合、分子の整列後にその検出を妨害しない様に、蛍光の程度が低いことが好ましい。
反応条件下で、巨大分子の一部だけに対する親和力を有し、巨大分子の残りの部分は溶液中に遊離して残る様な表面を有する、固体支持体を使用するのが好ましい。
一実施態様では、表面は少なくとも１層の有機化合物を有する固体支持体を使用し、ここで該有機化合物は、その層の外側に、生物学的活性を有する種類の分子（該巨大分子自体でも、あるいは巨大分子を認知し、および／またはそれと相互作用する分子でもよい）に対する親和力を有する露出基を有するものである。
したがって支持体は、反応性基で、または生物学的活性を有する分子で被覆した表面を有することができる。
「親和力」とは、変性した、またはしていない、露出基の上に分子が付加する任意の条件下での、化学的反応性およびあらゆる種類の吸着の両方を意味する。
一実施態様では、表面は実質的に緻密である、すなわち、生物学的活性を有する巨大分子が下の層および／または支持体に到達するのを制限するが、これは、非特異的な相互作用を最少に抑えるためであり、その層の他の成分は該巨大分子に対して親和力をほとんど、またはまったく示さない。
反応性の露出基（例えばＮＨ2、ＣＯＯＨ、ＯＨ、ＣＨＯ）で、または、分子の任意的に変性した部分を付加できる、生物学的活性を有する巨大分子（例えば、ストレプトアビジンまたは抗体の様なタンパク質、オリゴヌクレオチドの様な核酸、脂質、多糖、およびそれらの誘導体）で被覆した表面を使用することもできる。
例えば、公知の方法（“Chemistry of Protein Conjugation and Cross-linking”, S.C. Wong, CRC Press(1991号)）によりストレプトアビジンまたは抗体で被覆した表面は、特定の場所にビオチンまたは抗原を有する巨大分子を付加することができる。
同様に、単ストランドのオリゴヌクレオチドを有する様に処理した表面は、相補的な配列を有するＤＮＡ／ＲＮＡをその上に固定することができる。
露出した反応性基を有する表面の中で、露出基が、−ＣＯＯＨ、−ＣＨＯ、ＮＨ2、−ＯＨ基、または二重結合−ＣＨ＝ＣＨ2を含み、その二重結合がそれ自体で使用されるか、または活性化されたそれぞれ−ＣＨＯ、−ＣＯＯＨ、ＮＨ2または−ＯＨ基、を与える様な表面を挙げることができる。
特異性の高い表面を有する支持体は、様々な製法を使用して得ることができる。例えば
（Ａ）炭素を含み、下記の反応性基を有し、厚さが少なくとも１nmで、所望により枝分れした重合体の層、および
（Ｂ）固体支持体上に１つまたは２つ以上の分子層を堆積または固定することにより得られる表面。後者は、層を次々に非共有結合により付加して形成することにより（非限定的な例としてLangmuir-Blodgettフィルム）、あるいは分子自己組立により（これにより共有結合により付加した層が形成される）、製造することができる。
第一の場合、表面は、重合体の表面に該露出基を生じる少なくとも１種のモノマーを重合させることにより、あるいは重合体の表面を部分定に解重合して、該露出基を形成することにより、あるいは重合体の堆積により、得ることができる。
この製法では、形成される重合体は、ポリエン誘導体の様なビニル結合、特にポリブタジエン、ポリイソプレンの様な合成ゴムまたは天然ゴム型の表面を有する。
第二の場合、特異性の高い表面は、支持体上に、少なくとも下記（１）および（２）を有する細長い構造の有機化合物の実質的な単分子層を含んでなる。
（１）支持体に対して親和力を有する付加基、および
（２）付加条件下で該支持体および該付加基に対する親和力をほとんど、またはまったく持たないが、任意的に、付加に続く化学的変性の後、生物学的分子の１種に対する親和力を有する露出基。
付加は、先ず、非共有型、特にLangmuir-Blodgettフィルム（K.B. Blodgett, J. Am. Chem. Soc. 57, 1007（1935年））の様に親水性／親水性および疎水性／疎水性型でよい。
この場合、露出基または付加基は親水性または疎水性で、特にＣＨ3、ＣＦ3、ＣＨＦ3、ＣＨ2Ｆの様なアルキルまたはハロアルキル基であり、他の基は親水性である。
付加は共有型でもよく、この場合、付加基は支持体と化学的に反応する。
類似構造を有する特定の表面が、特に付加が共有型である場合、電子工学の分野ですでに開示されている（L. NetzerおよびJ. Sagiv, J. Am. Chem. Soc. 105, 674（1983年）およびＵＳ−Ａ−４５３９０６１号明細書）。
付加基の中で、特に、金属アルコキシドまたは半導体型の基、例えばシラン、特にクロロシラン、シラノール、メトキシ−およびエトキシシラン、シラザン、ならびにホスフェート、ヒドロキシル、ヒドラジド、ヒドラジン、アミン、アミド、ジアゾニウム、ピリジン、サルフェート、スルホン酸、カルボン酸、ホウ酸、ハロゲン、酸ハロゲン化物、アルデヒド基、を挙げる必要がある。
特に、隣接する同等の基と反応して架橋させることができる基を付加基として使用するのが好ましく、例えば、これらの基は金属アルコキシドまたは半導体型の誘導体、例えば、シラン、特にジクロロシラン、トリクロロシラン、ジメトキシシランまたはジエトキシシランおよびトリメトキシ−またはトリエトキシシラン、である。
付加基の選択は、無論、支持体の性質により異なり、シラン型の基はガラスまたはシリカ上への共有付加に極めて好適である。
露出基に関しては、表面に関係なく、エチレン系の基、アセチレン系の基または芳香族基、第１級、第３級または第２級アミン、エステル、ニトリル、アルデヒド、ハロゲン、から選択するのが好ましい。しかし、特にビニル基が好ましく、実際、ビニル基は、付加後に化学的に変性し、例えばカルボキシル基またはカルボキシル基の誘導体、例えばアルコール基、アルデヒド基、ケトン基、酸基、第１級、第２級、または第３級アミン、を与えるか、または表面または巨大分子の化学的変性を行なわずに、pHに応じて、核酸およびタンパク質の様な生物学的な巨大分子を直接固定することができる。
好ましくは、露出基を付加基に接続する鎖は、少なくとも１個、好ましくは６個より大きい、一般的に３〜３０個の炭素を有する鎖である。
支持体自体に関しては、ガラス、表面酸化ケイ素、重合体または表面を前処理した、またはしていない金を使用するのが一般的に好ましい。
ガラスまたはシリカの場合、シラン誘導体を使用して表面官能化するための公知の技術を効果的に使用することができ、例えばＳｉ−ＯＨ  ＋  Ｃｌ3−Ｓｉ−Ｒ−ＣＨ＝ＣＨ2によりＳｉ−Ｏ−Ｓｉ−Ｒ−ＣＨ＝ＣＨ2を与え、Ｒは例えば（ＣＨ2）4からなる。その様な反応は文献から公知であり、超純粋溶剤を使用している。この反応により、表面でＣ＝Ｃ末端を外に露出している分子の芝地が得られる。
必要に応じて、基材上の薄層の形態である金の場合、表面を官能化させる公知の技術は、チオール誘導体を使用し、例えば、Ａｕ  ＋  ＨＳ−Ｒ−ＣＨ＝ＣＨ2によりＡｕ−Ｓ−Ｒ−ＣＨ＝ＣＨ2が得られ、Ｒは例えば（ＣＨ2）4からなる。その様な反応は液体媒体中で記載されており、上記のトリクロロシラン−シリカ反応と同様に、表面でＣ＝Ｃ末端を外に露出している分子の芝地が得られる。
この様にして得られる表面は、好ましくは下記（１）〜（４）から選択された、生物学的活性を有する巨大分子で被覆する。
（１）タンパク質、
（２）核酸、
（３）脂質、
（４）多糖およびそれらの誘導体。
タンパク質の中で、抗原および抗体、配位子、レセプター、アビジンまたはストレプトアビジン型の物質、ならびにこれらの化合物の誘導体、も挙げておくべきである。
ＲＮＡおよびＤＮＡの中で、α、β誘導体、ならびにチオ誘導体、およびＰＮＡの様な化合物の混合物、も挙げておくべきである。
例えばグリコペプチドおよびリポ多糖の様な混合化合物、あるいはウイルスの様な他の物質、特に細胞、またはビオチンの様な化学的な化合物、を付加させることもできる。
生物学的巨大分子の付加は、共有または非共有的に、例えば吸着、水素結合、疎水性、イオン相互作用、により行なうことができ、その場合、それらの凝集を強化するために架橋は公知の方法(“Chemistry of Protein Conjugation and Crosslinking”, S.C. Wong, CRC Press(1991年))により、グラフト化された分子に効果的に行なうことができる。
上記の様に、生物学的活性を有する分子と直接反応し得る露出基を有することが可能であるが、露出基を、付加の後に処理し、上記の様にヒドロキシル、アミン、アルコール、アルデヒド、ケトン、ＣＯＯＨ基、またはこれらの基の誘導体に転化してから生物学的分子を付加させることもできる。
その様な基を露出させる場合、例えばタンパク質および／またはＤＮＡを付加させるための技術は公知であり、これらは実際に生物学的分析にすでに使用されている表面に、特にCoatsr表面、Nunc表面、またはEstapor、BangおよびDynalの様なマイクロビーズに使用されている反応であり、これらの上に生物学的に重要な分子、例えばＤＮＡ、ＲＮＡ、ＰＮＡ、タンパク質、または抗体を固定する。
露出基が、以下、「表面Ｃ＝Ｃ」または「エチレン性結合を有する表面」と呼ばれる−ＣＨ＝ＣＨ2基である場合、特にＤＮＡまたはタンパク質を直接固定することを記載している文献は無い。これらの表面はpHに大きく依存する反応性を有することが立証されている。この特性により、核酸またはタンパク質をpH領域を使用して、およびpHによりコントロールできる反応速度で固定することができる。
ＤＮＡは、８未満のpHでＤＮＡを表面と接触させることにより、その末端により、エチレン性二重結合を含む基を有する表面上に固定することができる。
特に、反応は５〜６のpHで行ない、次いでpH８で停止させる。
例えば、pH５．５におけるＤＮＡでは、固定反応は１時間で完了し（拡散により制限されない場合）、末端で起こる。一方、pH８では、付加が非常に少ない（反応速度は５〜６次数小さい）。この末端に特異的なpHに依存する付加効果は、ＤＮＡの官能化（ビオチン、ＤＩＧ、ＮＨＳ、およびその他のもの）または−ＮＨ2および−ＣＯＯＨまたは−ＰＯＯＨの間にペプチド結合またはホスホルイミド結合を形成する特殊な試薬（カルボジイミド、ジメチルピメリデート(pimelidate)）を必要とする他の表面と比較して、改良を示す。
ポリリシンまたはアミン基の末端を有するシラン基で被覆した表面上にＤＮＡを、その末端を吸着させるだけで固定することもできる。
アミン基で被覆した表面上にＤＮＡをその末端で固定するには、８〜１０のpHでＤＮＡを表面と接触させる。
予め酸浴中で前処理したガラス表面にＤＮＡをその末端で、５〜８のpHでＤＮＡを該表面と接触させることにより、固定することができる。
同様に、これらの表面は、タンパク質（タンパク質Ａ、anti-DIG、抗体、ストレプトアビジン、およびその他のもの）を直接固定できる。（i）分子の活性が保存されること、（ii）調製された表面（最初はＣ＝Ｃ）の反応性が完全に弱められ、問題とする分子の唯一の反応性に有利になること、が観察されている。したがって、比較的高い初期反応性で開始し、非常に高い特異的反応性を有する表面、例えばタンパク質上の特定箇所の表面、に移行することができる。
表面上に特異的な抗体（例えばanti-DIG）を固定することにより、反応性が抗原（例えばＤＩＧ基）に限定されている表面が形成される。このことは、初期の化学的な基のすべてが、グラフト化された抗体により隠されていることを示している。
特に、反応性（化学的または生物化学的に）表面上に生物学的活性を有する他の分子、特にウイルスまたは他の成分、特にメンブラン、メンブランレセプタ、多糖、ＰＮＡ、をグラフト化させることもできる。
生物学的に重要な反応の生成物（例えばＰＣＲ）を調製した表面上に付加させることもできる。
本発明の装置により、生物学的分子の検出および／または定量が可能であるが、分子内距離の測定、ある種の生物学的分子の分離、特に抗原／抗体および／またはＤＮＡ／ＲＮＡ結合技術を使用する試料も、可能である。
特に、本発明の装置は、試料中のＤＮＡ配列またはタンパク質からなる巨大分子を検出するための方法に使用できるが、そこでは
（１）該巨大分子が溶液になっている溶剤Ａに対応する試料を、ＤＮＡ／ＤＮＡ、ＤＮＡ／ＲＮＡハイブリッドを形成させるための、またはタンパク質／タンパク質反応生成物を形成させるための条件下で、支持体の表面と接触させ、
（２）ハイブリッドまたはハイブリッドに標識を付けるための巨大分子または反応生成物が一部で固定され、残りの部分が溶液中に遊離して存在し、これを、溶剤と表面の接触により形成されるメニスカスの移動により引き伸ばして、ハイブリッドまたは該標識巨大分子を配向させ、こうして配向したハイブリッドまたは該標識巨大分子の測定または観察を行なう。
メニスカスが移行し、分子を直線的に、小さな棒の形態に引き伸ばすことにより、また分子に標識を付けである場合、分子はより容易に検出できる。その上、これらの細長い分子は外気に対しても安定しており、数箇月後にも、明らかな劣化を示さずに、観察することができる。
再び水和させる際にも、ＤＮＡ分子は吸着され、引き伸ばされたままである。さらに、引き伸ばした分子に対してハイブリダイゼーションを行なうこともできる。
その上、それらが引伸ばされているために、相関的で、一様な配向の信号を示すので、これらの分子は周囲のノイズからはっきり識別できる。したがって、特別な空間的相関性を持たない、ダスト、すなわち不均質性を、無視することは容易である。溶液中では、ペレット形態の分子は熱的に変動し、それによって、好ましくは僅かな深度の場で集められる蛍光信号が大きく変化し、それらの観察を制限するので、整列も重要である。したがって本発明の装置により、分離した分子を非常に高い信号対ノイズ（Ｓ／Ｎ）比で観察することができる。
この比が固定された分子の数に無関係であることは注目に値する。１個の分子の検出に関するＳ／Ｎ比は、１０，０００に対する比と同じである。さらに、この引伸ばし技術により、様々な長さの分子を容易に差別することができる。
引伸ばされた分子は、様々な酵素学的方法、およびその他のもの、例えば蛍光、または放射性または非放射性プローブの使用により、明らかに示すことができる。それらの検出は、包括的な信号（例えば蛍光）の測定により、または光学的蛍光顕微鏡、電子顕微鏡、局所プローブ法（ＳＴＭ、ＡＦＭ、およびその他のもの）による分子の個別観察により達成できる。
一般的に、試料中の分子の検出、分離および／または検定には、該分子を特異的に付加できる表面を使用し、付加した分子の存在を検出する、蛍光性または非螢光性の試薬を使用して検出、分離または検定を行なう。
試薬の中には、蛍光性試薬および非蛍光性試薬、がある。
蛍光性試薬は、０．１μmを超えるサイズの長い分子になり、前処理した表面と特異的、直接的または間接的に反応する様に選択した蛍光性分子を含む。例えば、二重ストランドＤＮＡ分子に、必要に応じてビニルまたはアミン型の基、およびその他のものを有する表面上に１個又は２個以上の末端を介して直接固定できる蛍光性プローブ（臭化エチジウム、YOYO、蛍光ヌクレオチド、およびその他のもの）により、特に媒体のpHまたはイオン含有量を慎重に選択することにより、または表面上に電圧をかけることにより、標識を付ける。
分子（ＤＩＧ、ビオチン、およびその他のもの）の特殊な官能化を使用し、それを、相補的な箇所（anti-DIG、ストレプトアビジン、およびその他のもの）を有する表面上の１個または２個以上の点で固定することもできる。
本発明により予め整列させた分子を検出できる非蛍光性試薬は、特に、整列した分子に特異的に、直接的または間接的に付加し、表面とは弱い非特異的な相互作用しか持たない別の分子を介して固定したビーズまたは微粒子でよい。
所望の分子が蛍光により直接、または上記の試薬を使用して間接的に検出されるかに応じて、検出を「直接検出」または「フラッグ検出」として説明する。
整列した分子の数の検出は、電子顕微鏡や放射性や必ずしもＰＣＲを必要としない低ノイズの巨視的な物理試験により、少数の分子（典型的には、１〜１０００個）に行なうことができる。
本発明の装置は、研究室の経験が少ない作業員でも使用することができる。
整列および検出技術は、様々な用途に使用でき、特に下記の用途を挙げることができるが、これらに限定するものではない。
病原体の診断またはゲノムの物理的なマッピングに効果的に使用できる、ＤＮＡまたはＲＮＡ配列の１個または２個以上の要素の識別。特に、上記の技術により、クローニング工程を中間に使用することなく、ゲノム性ＤＮＡに対して物理的なマップを直接得ることができる。結晶学的長さに対して引き伸ばしてある、コウミングされた分子に、相対的な測定を行なう。そのため、整列したＤＮＡ上のプローブ間の間隔を目に見える様にして測定するために、光学的方法では２００nmのオーダーの、あるいはＡＦＭまたはＳＴＭの様なニヤフィールド(near field)法を使用することにより１nmのオーダーの解析度で、ＤＮＡ断片の大きさおよび断片間の間隔を測定することができる。
その結果、無論、下記につながる。
１）特に遺伝子的疾患（例えばDuchenneの筋病）の診断において、ゲノム配列の削除、追加または転座の検出。
２）調節配列と発現配列の間の間隔を測定することによる、様々な遺伝子のプロモーターの識別。
３）ＤＮＡに沿った位置またはそれらの標的配列の位置を識別することによる、調節タンパク質の位置測定。
４）ニヤフィールド顕微鏡（例えばＡＦＭまたはＳＴＭ）を使用し、特定の長さのオリゴヌクレオチド塩基に属するハイブリッド化したプローブ間の間隔を測定することによる部分的または完全な配列測定、即ち、
整列したＤＮＡに対するその場でのＰＣＲ、
少数（できれば１０００未満）の免疫学的反応を検出する可能性による、ELISA技術の感度の改良。
５）イントロンおよびエクソンの様な遺伝子の転写区域、イントロンおよびエクソン間の間隔、およびイントロンおよびエクソンの大きさの確認。
例えば、クローニング工程を中間に使用することなく、ゲノム性ＤＮＡに対して物理的なマッピングを行なうことができる。ゲノム性ＤＮＡを取り出し、精製し、必要に応じて、１種または２種以上の制限酵素で開裂させ、次いで本発明の方法により表面上でコウミングする。
次いで、ゲノム性ＤＮＡ上の所望の遺伝子の位置および大きさを、特に該所望の遺伝子の生成物の相補的なＤＮＡ（ｃＤＮＡ）の一部から取り出した、該遺伝子に特異的なプローブによるハイブリダイゼーションにより決定する。
同様に、コウミングし、次いで標識を付けた全ｃＤＮＡで変性したゲノム性ＤＮＡをハイブリッド化することにより、問題の遺伝子のエクソンの位置、サイズおよび数を確認する。
遺伝子の位置を上記の様に決定したら、または既知であれば、次いでハイブリダイゼーションにより、遺伝子の側方配列を確認することができる。このための手順は、遺伝子のどちらかの側でハイブリッド化する１個または２個以上のプローブを確認するために、例えばオリゴヌクレオチドライブラリから得た、標識を付けたプローブでハイブリダイゼーションすることにより行なうのが有利である。
この決定から、その場におけるＰＣＲ技術により、反応のためのプライマーとして使用できる側方プローブにより境界を定めた断片を増幅することができ、この断片は、組織または発達に関して特異的でよい調節領域を持つ所望の遺伝子を含むことができる。
次いで、所望の遺伝子の増幅は、上記の様に増幅した断片に公知のＰＣＲ技術を使用し、ｃＤＮＡを構成するエクソンにより到達できるプライマーを使用して行なう。
ゲノム性ＤＮＡ、およびその他のもののコウミングにより、特定の基部遺伝子を調節するための配列［そこからこの遺伝子を調節するための可能なタンパク質群（例えばらせん−ループ−らせん、ジンク−フィンガー、ロイシン−ジッパー）が決定される］の存在または欠如をハイブリダイゼーションにより決定することもできる。
特定のＤＮＡ／ＲＮＡ／ＰＮＡ配列および他の分子（ＤＮＡ、ＲＮＡ、タンパク質）の間の特異的な反応は、本発明による分子整列の前または後に起こり得る。
そのため、遺伝子診断および物理的なマッピングの分野では、FISH(Pinkel等Proc. Nat. Acad. Sci. USA 83, 2934（1986年）)の公知の方法を使用し、最初に整列させたＤＮＡで標識を付けた単ストランドオリゴヌクレオチドをハイブリッド化し、次いで変性させて使用するのが有利である。これらのハイブリッドは、公知の技術（蛍光、マイクロビーズ、およびその他のもの）で０．２μm（光学的）〜1nm（ニヤフィールド顕微鏡、ＡＦＭ、ＳＴＭ、およびその他のもの）の解析度で観察される。
あるいは、溶液中で蛍光マーカーＤＮＡを単ストランドＤＮＡで先ずハイブリッド化し、次いでこの構造を二重ストランドＤＮＡに変換し、適した表面上に固定した後、メニスカスの作用により整列させることもできる。
本発明の装置は、病原体の存在の検出にも使用できる。例えば、確認反応（ハイブリダイゼーション、タンパク質の付加）をメニスカスによる整列の前または後に行なうかによって、手順は２つの異なった方法で行なうことができる。
例えば、１個または数個のオリゴヌクレオチドプローブを表面の１つまたは２つ以上の区域に固定する。病原体の可能性があるＤＮＡのハイブリダイゼーションは、厳密な条件下でその場で行ない、ハイブリッド化された分子だけを固定する。それらの検出および定量は、本発明のメニスカスにより整列させた後に行なう。
あるいは、病原体の可能性があるＤＮＡを先ず整列させ、次いで厳密な条件下でオリゴヌクレオチドプローブにより変性およびハイブリッド化する。ハイブリッドの検出は公知の方法、特に上記の様にFISH法により行なう。
同様に、少数の分子、例えばタンパク質、脂質、糖または抗原、の存在（欠如）を検出することができる。ELISA技術を僅かに修正し、通常の検出方法の代わりに、本発明により整列させ、ELISA反応の試薬の一つと結合させた蛍光分子を検出するのが有利である。
その上、K.R. Allan等（US 84114号明細書）が記載している様に、遺伝子のマッピングは、ＤＮＡ断片の大きさを測定することにより行なうことができる。そこで、上記の新規な分子引伸ばし技術（メニスカスによる引伸ばし）により、引伸ばされた分子の長さを、非常に小さな試料（数千の分子）で測定することができる。  例えば、この手順を下記の様に行なうことができるが、これに限定するものではない。
ＤＮＡ試料を断片化して（制限酵素を使用して）、発蛍光団で染色し、表面上に固定する。次いで分子をメニスカスにより引伸ばし、引伸ばされた断片の大きさを光学蛍光顕微鏡でで測定する（１０００bp（０．３μm）のオーダーの解析度および最大サイズ）。
この目的のために、および非常に長い分子（≧１０μm）を整列させたい場合にも、公知の技術を使用し、長い巨大分子を取り扱う（流体力学的せん断による）際のそれらの分解を制限するのが有利である。
本発明の装置は、本発明の整列方法によりＤＮＡを引き伸ばし、次いで変性させ、次いで特異的なプローブでハイブリッド化し、１個または２個以上の特定の配列の位置およびサイズを決定する、ＤＮＡの整列および検出方法に使用することができる。
本発明の装置は、本発明の方法によりＤＮＡを整列または検出する、ゲノム性ＤＮＡ上の遺伝子の物理的なマッピング方法を行なうことにも使用できる。
特に、ゲノム性ＤＮＡ上の所望の遺伝子の位置およびサイズは、マッピングすべき該遺伝子に特異的なプローブによるハイブリダイゼーションにより決定される。
本発明の装置により、ある病状に特異的なＤＮＡ配列の存在または欠如により引き起こされる病状を診断するための、本発明の整列方法を使用する方法を実行することができる。
最後に、本発明の装置は、ある遺伝子を製造するための方法であって、本発明の方法により整列したゲノム性ＤＮＡ上の該遺伝子の位置を、該遺伝子に特異的なプローブにより識別し、該遺伝子の配列をその場でＰＣＲにより増幅する方法に使用される。
したがって、本発明の装置により、成熟核細胞のゲノム中の遺伝子を、上記の遺伝子製造方法により製造した外来遺伝子を標的挿入することにより置き換える方法を実行することができる。
標的挿入は、ＷＯ９０／１１３５４号明細書に記載されている技術により、受容遺伝子中の所望の挿入箇所に隣接する２個のゲノム性配列を側方に有する、挿入すべき該外来ＤＮＡを含むベクターで成熟核細胞をトランスフェクションすることにより行なうことができる。挿入ＤＮＡは、コード配列または調節配列のいずれかを含むことができる。側方配列は、同族体の組換えにより、場合により、受容遺伝子の調節配列のコントロール下で、挿入ＤＮＡのコード化配列を発現させるか、または挿入ＤＮＡの調節配列のコントロール下で、受容遺伝子のコード化配列を発現させることができる。
本発明の他の特徴および利点は、添付の図１および図２に関する下記の説明から明らかであるが、そこでは２つの部分からなる（図１参照）本発明の装置を図式的に示す。
コウミングすべき分子の溶液（２）を含む容器（１）、
コウミングを行なう１個（または１個より多く）の表面（４）を支持することができる取付け手段（６）を含んでなる垂直ロッド（３）［ロッドは容器（１）に対して直角の垂直軸に沿って移動し得る］、
ロッドを、容器（１）に対して直角に垂直移動させることができるモーター（５）。
表面Ｓ／溶液／空気の界面により形成されるメニスカスは直線的である。それは、垂直ロッドが移動し、表面が次第に溶液から引き出される時、または溶液が貯蔵部から次第に抜き取られる時、メニスカスは一定である。引伸ばし方向は、メニスカスに対して直角であり、したがって垂直軸に対して平行であり、表面全体にわたって均一である。
これら２つの部分の組合せが、スライドの垂直移動に関して、「エレベータ」の名称で呼ばれる装置の基本である。
図２に示す様に、本装置は、培養すべきスライドのための第一分室（７）、および培養したスライド（その上でＤＮＡがコウミングされる）のための第二分室（８）を含むのが有利である。ロッド（３）は、その下端に、スライドを簡単に取付けるための装置（６）（「ジョウ」またはピンセット型）を備えており、容器（１）の分室（７）および（８）に対して直角に順次移動できる様にするために、ある程度の水平移動の自由度を加える必要がある。
「コウミング」サイクルは、下記（ｉ）〜（Vii）によりなるものである。
(i)培養すべきスライドを取り上げ、
(ii)貯蔵部の上を移動させ、
(iii)貯蔵部中に下降させ、培養し、
(iv)スライドを貯蔵部から取り出し、
(v)貯蔵分室の上を移動させ、
(vi)スライドを第二分室の中に置き、
(vii)工程(i)に戻る。
培養すべきスライドを保管するための分室として、スライドの物理化学的処理の際にスライドの保管に使用するのと同じ容器を使用し、それによって使用者が行なわなければならない操作を簡素化することができる。
ロッド（３）が分室に対して直角である時、分室（７）が培養すべきスライドを与え、分室（８）が、スライド上に巨大分子が整列しているスライドを受け取るための空いた空間を与える様に、分室（７）および（８）は、それらを水平移動させるための手段を備えている。
例１
材料および方法
λＤＮＡおよびモノクローナル抗体(anti-DIG)をBoehringer-Mannheimから入手する。トリクロロシランはRoth-Sochielから入手する。蛍光核プローブ(YOYO1、YOYO3およびPOPO1)はMolecular Probesから入手する。超清浄ガラスカバースリップはErie Scientific(ESCO) cover slipsから入手する。これらのプローブは、本発明により表面（ここで、固定箇所として例えばanti-DIG抗体またはストレプトアビジンを有する）上に特異的に固定し得る反応性基（ＤＩＧ、ビオチン、等）を有する。固定反応の検出は、蛍光分子（臭化エチジウム、YOYO、蛍光ヌクレオチド）で染色したＤＮＡ分子の蛍光を検出することにより直接行なう。
表面処理
ガラスカバースリップを、酸素雰囲気中でＵＶ照射により１時間浄化した（オゾンの形成により）。次いで直ちに、これらのガラスカバースリップを、アルゴン気流により微量の水を予め掃気したデシケーター中に入れる。約１００〜５００μlの量の適したトリクロロシラン（Ｈ2Ｃ＝ＣＨ−（ＣＨ2）N−ＳｉＣｌ3）をデシケーター中に入れ、ここから約１２時間（ｎ＝６）または１時間（ｎ＝１）後に表面を取り出す。取り出す時、表面は透明で、濡れていない。
これらの二重結合表面の官能基（Ｈ2Ｃ＝ＣＨ−）は、処理したカバースリップを、上記の様に、ＫＭｎＯ4２５mg、ＮａＩＯ4７５０mgを水１リットルに入れた溶液に約１０分間浸漬し、超純水で３回濯ぐことにより、カルボキシル基（−ＣＯＯＨ）に転化させることができる。
この様に官能化したカバースリップはタンパク質と反応し得る。３００μmの堆積のタンパク質（タンパク質Ａ、ストレプトアビジン、およびその他のもの）の水溶液（２０μg/ml）を、（Ｈ2Ｃ＝ＣＨ−）基に官能化したカバースリップの上に載せる。このカバースリップを室温で約２時間培養し、次いで超純水で３回濯ぐ。この様に処理した表面は透明で濡れている。タンパク質Ａで処理した表面は、抗体、例えばanti-DIG抗体と、抗体２０μg/mlの溶液中で培養することにより、反応させることができる。
さらに、カルボキシル基を有する表面上に、アミン末端（−ＮＨ2）を有するオリゴヌクレオチドをグラフト化させることができる。ＭＥＳ、カルボジイミド（１mg/ml）、およびoligo-aminic（１０pmol／１４０μl）５μlの溶液（５０mM、pH５．５）２００μlをカルボキシル化表面上に置き、室温で約８時間培養する。最後にカバースリップをＮａＯＨ（０．４Ｍ）で３回、次いで超純水で４回濯ぐ。この様に調製したカバースリップは、固定したオリゴヌクレオチドと相補的なＤＮＡをハイブリッド化することができる。
二重結合表面上への自然のＤＮＡの固定
前処理（Ｈ２Ｃ＝ＣＨ−）したカバースリップを、様々な濃度の蛍光標識を付けたλＤＮＡ（YOYO1、POPO1またはYOYO3、ただし特異的末端を含まない）を異なった緩衝液に入れた溶液５〜１０ml（分子の総数＜１０7）中に浸漬する。この標本を水蒸気で飽和した雰囲気中、室温で約１０〜１５分間培養する。
０．０５Ｍ  ＭＥＳ緩衝液（pH＝５．５）中ではＤＮＡ分子が事実上全体的に固定されているのが観察される。対照的に、０．０１Ｍのトリス緩衝液（pH＝８）中では、固定されている分子が実質的に無い（比＞１０6）。この依存性により、表面の（ＤＮＡに対する）活性化／不活性化をpHによりコントロールすることができる。
同じ条件を使用して、７００kb〜１Megabaseの大きさの幾つかのヒト遺伝子を挿入した酵母ＹＡＣを固定する。
メニスカスの作用による整列および固定の検出
分子に対するメニスカスの作用はそのすぐ近傍に限られる。溶液中の分子の、メニスカスの前の部分は自由に変動し、メニスカスの後で表面上に積み重なって残る部分はメニスカスの移動方向に整列する。したがって、分子の引伸ばし率は一様で、その大きさに無関係である。
先行する標本を乾燥雰囲気中に移すことにより、スライドは溶液から引き出され、表面に固定されたＤＮＡ分子はメニスカスに対して直角に引伸ばされる。実際、ＤＮＡ分子に対する毛管力（数１０ピコニュートン）は、分子を完全に引伸ばすのには十分である（エントロピーによる弾性力よりも大きい）が、分子の末端および処理した表面の間の結合を壊すには弱過ぎる。ＤＮＡは蛍光標識を付けてあるので、引き伸ばした分子は個別に、容易に観察できる。表面とＤＮＡの固定は末端に限られているので、λファージまたはＹＡＣのＤＮＡ（全長が４００μmを超える）を引き伸ばすこともできる。特異的固定および検出
上記の様に表面を特異的なモノクローナル抗体で処理することにより、それらの特異性を非常に正確にコントロールすることができる。anit-DIG処理した表面の特異性を、Ｃｏｓ末端の一つに対して相補的なオリゴヌクレオチドでハイブリッド化し、ジゴキシゲニン基（ＤＩＧ）を有するλＤＮＡとの関連で、およびハイブリッド化していないＤＮＡとの関連で試験した。第一の場合、メニスカスの作用による事実上全体的な固定分子の引き伸ばしが観察された。第二の場合、試料全体中に僅かな固定ＤＮＡ分子（＜１０）しか観察されなかった。
λＤＮＡを、上記の様に、ＣＯＳ末端の一つに対して相補的なオリゴヌクレオチドでハイブリッド化し、カルボキシル化した表面に固定した。ハイブリダイゼーションを目に見える様にするには、あまり過酷でない条件（４０℃の純水）を使用すべきである。過酷な条件下（高塩分）では、YOYO1プローブの蛍光が消失し、ハイブリッド化されたＤＮＡを見ることができない。こうしてハイブリッド化したＤＮＡもメニスカスの移行により整列させることができた。
引伸ばしの表面処理に対する依存性
様々な表面上にグラフト化し、次いでメニスカスの移行により整列させたλＤＮＡの長さのヒストグラムは、輪郭のはっきりしたピークを示すが、そのピークは表面毎に異なっている。例えば、ビニル基の末端を有するシランで被覆した表面上では、ＤＮＡは約２０〜２４μmまで引伸ばされ、清浄なガラス上では約１９μmまで、タンパク質Ａおよびanti-DIGで予め処理したガラス表面では、引伸ばしは１６ミクロンである。
したがって、引伸ばしは表面処理により異なる。疎水性の表面上では、引伸ばしは、はるかに長い（ビニル、ＮＨ2）。親水性表面上では、事実上、引伸ばされていない。
例２
様々な表面上でのＤＮＡ分子のコウミング
様々な方法で処理したガラス表面上でのＤＮＡの分子コウミングを観察した。分子の末端分子と残りの部分の間の吸着に差がある利点を利用する。正に帯電した重合体をガラス表面上に吸収することにより、負に帯電したＤＮＡ分子の吸着を強化するが、この電荷が大き過ぎると、ＤＮＡ分子はその全長にわたって積み重なり、コウミングが不可能になる。しかし、pH（または塩分）条件を変えてガラス上に吸着された重合体の電荷を変えることは可能であり、実際、正電荷が例えばＮＨ2により与えられ、これが対応する塩基のpKより低いpHに対するプロトン化した状態ＮＨ3+になる。塩基性pHでは、電荷が消失し、その表面は最早ＤＮＡを吸引しない。pHを正確にコントロールすることにより、溶液中のＤＮＡ分子は表面に完全に積み重なった状態から、それらの末端でのみ固定された中間段階に、次いで表面が最早ＤＮＡに対して親和力を持たない段階に移行する。中間段階では、分子コウミングを行なうことができる。
ＮＨ2末端を有するシランで被覆した表面の研究で、pH＜８で完全な付着、および８．５＜pH＜９．５でコウミングが観察された。コウミングされた分子の数はpH＝８．５で最大であり、pH＝９では半分になり、pH＝９．５では４分の１になる。この表面上での相対的な伸長も測定したが、これはヒストグラムで１．２６に相当する。
ポリリシンで被覆した表面も試験したが、これはpHに関して類似の付加特性を示し、コウミング領域は８．５であり、相対的な伸長は短く、１．０８である。
最後に、過酸化水素／濃硫酸混合物中で新たに浄化したガラス表面上で同じ挙動が見られた。これらの表面は濡れ性が非常に高く、急速に汚染されるが、コウミング領域は５．５＜pH＜７．４であるのに対し、強い吸着領域はpH＝４．５にあることが観察された。分子の相対的な伸長は１．１２である。
ＹＡＣの均一で方向性がある整列
そのアガロースブロック中でYOYO1蛍光プローブを使用して予め染色した１μgのＹＡＣを６８℃に加熱し、agarased、次いで１０mlのＭＥＳ（５０mM、pH５．５）に希釈する。シラン処理した２枚のカバースリップ（Ｃ＝Ｃ表面）をこの溶液中で１５分間培養し、次いで約１７０μm／秒で取り出す。ＹＡＣ分子はすべて、カバースリップを取り出す方向に対して事実上平行に整列する。この様に整列した分子の完全性は、２枚のカバースリップ間に置いてから蒸発させる場合よりも優れている。
コウミングしたＹＡＣによるコスミドのハイブリダイゼーション
上記の様にYOYOで染色したＹＡＣをＣ＝Ｃ表面上に固定し、次いで溶液からカバースリップを引き上げる際に、メニスカスにより整列させる。プローブ（コスミド）は、randon priming技術によりビオチニル化したヌクレオチドを取り入れることにより、標識を付ける。標識を付けたプローブ（１００ng）および５μgの超音波処理したサケの精子ＤＮＡ（約５００bps）を、酢酸ナトリウムおよびエタノール中で沈殿させて精製し、次いでホルムアミド溶液（５０％ホルムアミド、２％ＦＦＣ、１０％硫酸デキストラン）中で変性させる。
コウミングしたＹＡＣは、１２０μlの変性溶液（７０％ホルムアミド、２ｘＳＳＣ）で、ホットプレート上、８６℃で６分間変性させる。予め変性したプローブ（２０ng）をハイブリダイゼーション溶液（５５％ホルムアミド、２ｘＳＳＣ、１０％硫酸デキストラン）中のカバースリップ上に載せ、カバースリップを被せ、ゴムセメントで密封する。ハイブリダイゼーションは加湿器で３７℃で一晩行なう。
ハイブリッドは、decondensed染色体に対するその場でのハイブリダイゼーション（D. Pinkel等、PNSAS USA 83, 2934（1986年）およびPNAS USA 85, 9138（1988年））に関して公知の手順により行なう。
次いで、ハイブリッド化したセグメントを蛍光顕微鏡で観察する。この例は、ＤＮＡ分子上の遺伝子の存在を検出する可能性を立証しており、これは診断目的またはゲノムの物理的マッピングに使用できる。
【図１】
0003670019.tif 000002
【図２】
0003670019.tif 000003